(57)【要約】  第一の部分２及び第二の部分３を備えたバンドロック１であって、第一の部分２及び第二の部分３は、各々が、部分的に、相互に取り外し可能に互いに対して連結するための各第一端部における係合部４、５と、部分的に、バンド２０、２１と協働するためのバンド連結部８、９と備えている。第一の部分２の係合部４は、横断方向Ｔに本質的に延びている係合ピン６を備え、第二の部分３の係合部５は、本質的に横断方向Ｔに延びている、係合ピン６のための座部Ｓを形成するフック要素７を備えている。係合ピン６が座部Ｓ内に配置されると、回転軸線Ａが横断方向Ｔに延び、かつ第一の部分２と第二の部分３が回転軸線Ａの回りで互いに関して制限されつつ回転可能となる、回転式ジョイントが形成される。本発明は、さらに、幼児運搬装置に関する。
2012524601.tif 000002
【特許請求の範囲】
【請求項１】
第一の部分（２）及び第二の部分（３）を備えたバンドロック（１）であって、前記第一の部分（２）及び第二の部分（３）は、各々が、部分的に、相互に取り外し可能に互いに対して連結するための各第一端部における係合部（４、５）と、部分的に、バンド（２０、２１）と協働するための各第二端部におけるバンド連結部（８、９）と備え、
前記第一の部分（２）及び第二の部分（３）は、意図する長手方向延長部（Ｂ）と直角であり、かつ協働することが意図されているバンドのための横断方向延長部と本質的に平行である、各横断方向（Ｔ）を形成する、バンドロック（１）において、
前記第一の部分（２）の前記係合部（４）は、前記横断方向に本質的に延びている係合ピン（６）を備え、
前記第二の部分（３）の前記係合部（５）は、前記係合ピン（６）のための座部（Ｓ）を形成するフック要素（７）を備え、
前記座部は、本質的に前記横断方向（Ｔ）に延びており、
弾性のあるロック要素 （１１）が、前記座部（Ｓ）内に挿入された係合ピン（６）に対して作用するための前記座部（Ｓ）において配置され、
前記係合ピン（６）が前記座部（Ｓ）内に配置されると、
回転軸線（Ａ）が前記横断方向（Ｔ）に延び、かつ前記第一の部分（２）と前記第二の部分（３）が前記回転軸線（Ａ）の回りで互いに関して制限されつつ回転可能となる、回転式ジョイントが形成されることを特徴とするバンドロック（１）。
【請求項２】
前記係合ピン（６）は、少なくとも部分的に円筒形状であることを特徴とする請求項１に記載のバンドロック（１）。
【請求項３】
前記座部（Ｓ）は、前記係合ピン（６）に相補的に形成されており、前記係合ピン（６）と同様に少なくとも部分的に円筒形状であることを特徴とする請求項２に記載のバンドロック（１）。
【請求項４】
前記フック要素（７）は、前記横断方向（Ｔ）に延びている要素であり、かつ自由端部（７′）の周りで曲げられており、かつ自由端部（７′）に向けて前記横断方向（Ｔ）に先細りすることを特徴とする請求項１〜３のいずれか１項に記載のバンドロック（１）。
【請求項５】
前記ロック要素 （１１）は、舌形成要素の自由端部（７′）上に配置されていることを特徴とする請求項４に記載のバンドロック（１）。
【請求項６】
前記第一の部分（２）及び第二の部分（３）の各々が、プラスチック材料製のフレームを備え、各フレームは、係合部（４、５）と共にバンド連結部（８、９）を一体的に備えていることを特徴とする請求項１〜５のいずれか１項に記載のバンドロック（１）。
【請求項７】
前記第一の部分（２）及び第二の部分（３）の中の少なくとも一つが、横断固定ロッドと、案内リスト（１４、１５、１６、１７）を有する側縁部とを形成し、それは、前記ロック部材（１８、１９）と前記横断固定ロッドの間で、前記バンド（２０、２１）と協働してロックするための移動可能なロック部材（１８、１９）を担持することを特徴とする請求項１〜６のいずれか１項に記載のバンドロック（１）。
【請求項８】
前記第一の部分（２）及び第二の部分（３）の中の少なくとも一つが、横断固定ロッド（３５、３６）と、リスト（１４、１５、１６、１７）を有する側縁部とを形成し、かつ前記バンド（２０、２１）と協働してロックするための回転可能なロック部材（３３、３４）を備え、前記回転可能なロック部材（３３、３４）は、前記横断方向と本質的に平行な回転軸線（３７、３８）回りで回転可能な前記リスト（１４、１５）の間に配置されており、
前記回転可能なロック部材（３３、３４）は、前記回転軸線（３７、３８）に沿ってほぼ一定の断面と、前記バンド（２０、２１）と係合するべき係合面（４１、４２）とを有する係合部（３９、４０）を有し、
前記係合部（３９、４０）は、前記回転軸線（３７、３８）と、前記回転軸線（３７、３８）周りで変化する前記係合面（４１、４２）との間の距離を備えていることを特徴とする請求項１〜７のいずれか１項に記載のバンドロック（１）。
【請求項９】
前記係合部（３９、４０）は、前記回転軸線（３７、３８）から一定の距離で前記回転軸線（３７、３８）と平行に配置された対称軸線（４３、４４）回りで本質的に対称であることを特徴とする請求項８に記載のバンドロック（１）。
【請求項１０】
前記回転可能なロック部材（３３、３４）の前記係合部（３９、４０）は、前記対称軸線（４３、４４）回りで本質的に円筒状であることを特徴とする請求項９に記載のバンドロック（１）。
【請求項１１】
前記バンドロック（１）は、前記回転可能なロック部材（３３、３４）の回転運動を制限する制限手段（４５、４６）を有し、
使用者の体と接触するように配置されている、前記バンドロックの面は、第一の平面（４７）を形成し、
前記回転軸線（３７、３８）は、前記第一の平面（４７）と平行である第二の平面（４８）内にあり、
前記係合部（３９、４０）は、前記第一の平面（４７）と前記第二の平面（４８）の間で体積の大部分を占めるように、前記制限手段（４５、４６）によって制限されていることを特徴とする請求項８〜１０のいずれか１項に記載のバンドロック（１）。
【請求項１２】
前記第一の部分（２）は、横断方向リスト（２２）を備え、前記横断方向リスト（２２）は、前記係合ピン（６）と平行でありかつ前記係合ピン（６）から一定距離に位置し、前記横断方向リスト（２２）は、前記フック要素（７）の自由端部（７′）と前記第二の部分（３）の前記係合部（５）の外側部分（２３）の間で見て、前記フック要素（７）の寸法に本質的に対応することを特徴とする請求項１〜１１のいずれか１項に記載のバンドロック（１）。
【請求項１３】
前記第二の部分（５）は、協働することが意図されているバンド用の前記意図する長手方向延長部（Ｂ）と本質的に直角にかつ前記横断方向（Ｔ）と本質的に直角に前記座部（Ｓ）が向けられるように、前記係合ピン（６）のための挿入開口部（２９）を備えていることを特徴とする請求項１〜１２のいずれか１項に記載のバンドロック（１）。
【請求項１４】
チャイルド・ハーネス、上側担持ストラップ及びウェストバンドを有する、幼児運搬装置において、
前記幼児運搬装置は、請求項１〜１３のいずれか１項に記載のバンドロックを備えていることを特徴とする幼児運搬装置。
【発明の詳細な説明】
【技術分野】
【０００１】
本発明は、請求項１の前文に記載のバンドを取り外し可能に連結するためのバンドロックに関する。本発明は、さらに、上記バンドロックを備えた幼児運搬装置に関する。
【背景技術】
【０００２】
互いに対して相互にロックするための係合要素を備えた係合部を各々が有する、第一及び第二の部分を備えた、バンドロックが公知である。これら係合要素は、部分的には、弾性ロック舌部上に配置されたスナップ突出部と、部分的に、ロックのためにスナップ突出部がスナップインするように配置されているスナップ座部Ｓとで構成されている。前記スナップ突出部を圧入してスナップ座部Ｓとの係合を解除することによって、取り外しを行い、バンドロックの部品を引っ張って離すことができる。この種のバンドロックは、プラグインロックとしばしば呼ばれ、部分的には、一つ以上のロック舌部を有する雄部と、部分的には、包囲するロックカバーの形態の雌部とを備えている。接続位置では、この装置は、比較的に長くかつ強固になる。
【０００３】
公知のバンドロックは、良好に機能するが、容易に接続できるバンドロックを提供する可能性と、より柔軟にかつより効率的に操作することについての可能性に関して、改良の余地がある。
【０００４】
これは、別の面では、例えば、バンドロックの操作不可能な位置など、いくつかの状況や、バンドロックと、接続されるべきバンドの配置によっては、問題となりうる。公知のバンドロックの取り外しも、バンドロックのいくつかの状況や配置では、問題となりうる。
【発明の概要】
【発明が解決しようとする課題】
【０００５】
本発明の目的は、従来技術の欠点を処理し少なくとも軽減するバンドロックを提供することである。
【課題を解決するための手段】
【０００６】
これらの目的は、第一の部分の係合部は、横断方向に本質的に延びている係合ピンを備え、第二の部分の係合部は、本質的に横断方向に延びている、係合ピンのための座部を形成するフック要素を備え、弾性のあるロック要素が、座部内に挿入されている係合ピンに対して作用するため及び係合ピンの連結解除を防ぐために座部において配置されており、係合ピンが座部内に配置されると、回転軸線が、横断方向に延び、かつ第一の部分と第二の部分が回動軸線の回りで互いに関して制限されつつ回動可能となる、回動ジョイントが形成される点によって、導入部に記載の上述の種類のバンドロックによって実現される。なお、第一の部分と第二の部分が互いに本質的に一直線上にある位置から、第一の部分と第二の部分の各々は、運搬人から見て回動軸線回りで外方向に角度を付けられうることが意図されている。
【０００７】
これにより、各部が、例えば、ほとんど横断方向位置への角度で角度が付けられることができ、あるいは、別の各部分に関してより長くなりうることが実現される。この角度方向の位置決めにより、バンドとバンド連結部の接触面の間の幾何学的関係の変化が実現されることと関連して、これらの位置で張力が解放される時、バンド連結部内のバンドの取り外しを容易にする。これにより、バンドの延長が容易となる。
【０００８】
ロック要素が、舌形成要素の自由端部上に適切に配置されている。ロック要素によって、スナップ作用も提供され、場合により、係合ピンを座部に導入した時のスナップ音が、係合ピンが座部内の所定位置にあるということを示す役割を果たしうる。
【０００９】
装置、部分的に接続する要素の回転中心を部分的に同時に形成するフック要素の座部と係合ピンとによって、簡単なバンド調節及び小型の具体化のための可能性が実現される。
【００１０】
また、取付が効率的かつ安全に実現することができるためには比較的に高度の案内を必要とする従来技術の装置で行うよりも、バンドロックの第一及び第二の部分の取付け及び取り外しが容易に実現することができる。本発明の装置では、互いに対して異なる相対的角度位置にある第一及び第二の部分で取り付けを行うことができ、これにより、操作不可能位置における取り付けが容易となる。
【００１１】
部分間の相互の滑らかな可動性を確保するために、係合ピンが少なくとも部分的に円筒であることが好ましい。座部は、係合ピンに相補的に形成されており、少なくとも部分的に円筒形状である。
【００１２】
フック要素は、好ましくは、横断方向に延びている要素であり、かつ自由端部の周りで曲げられており、かつ取付容易のために自由端部に向けて横断方向に先細りしている。
【００１３】
第一及び第二の部分の各々は、好ましくは、プラスチック材料製のフレームを備え、各フレームは、製造容易のバンドロックを提供するべく、係合部と共にバンド連結部を一体的に備えている。バンド連結部は、横断固定ロッドを備えている。
【００１４】
第一及び第二の部分の中の少なくとも一つは、好ましくは、案内リストを有する側縁部を備え、これは、ロック部材と横断固定ロッドの間でバンドと相互作用してロックするための移動可能なロック部材を支持する。これは、バンド張力の制御の効率的な可能性が提供され、効率が低くなることを避け、これにより、通常、バンドのバックルが、鋭い係合縁部を有する迷路形状のバンド通路を形成する固定された横断方向ブームを備えた、バンドロックを特徴付ける、ということを意味する。
【００１５】
移動可能なロック部材を有することの代案として、ロック部材は、横断方向と本質的に平行な回転軸線回りで回転可能な複数の案内リストの間で配置することができる。回転可能なロック部材は、回転軸線に沿って本質的に一定の断面を有し、かつそれをフレームの横断固定ロッドに向けて押圧することによってバンドと係合するべき係合面を有する、係合部を有する。係合部は、回転軸線と、回転軸線回りで変化する係合面との間の距離を提供する。上記の回転可能なロック部材により、固定ロッドと、回転可能なロック部材の間の距離が、回転可能なロック部材の回転方向位置で変わる。回転可能なロック部材により、バンドロックの複数の部分を一直線に配置することによってバンドの自動ロックが提供され、互いに対して一定角度にバンドロックの複数の部分を配置することにより、バンドの自動ロックの解除が提供される。
【００１６】
回転軸線と係合面の間の変化する距離を有する回転可能なロック部材は、多くの方法で実現することができる。回転可能なロック部材の係合部は、回転軸線から一定距離で、回転軸線と平行に配置されている対称軸線回りで本質的に対称としうる。好ましくは、係合部は、長手軸線回りで本質的に円筒である。上記の形態の係合面は、バンドロックのロック作用及び滑らかな作用を提供する。換言すると、回転軸線は、対称軸線に関して偏心して配置することもできる。
【００１７】
好ましくは、バンドロックは、回転可能なロック部材の回転運動を制限する手段を有するように配置される。使用者の体と接触するべく配置されているバンドロックの面は、第一の平面を本質的に形成している。回転軸線は、第一の平面と平行である第二の平面内にある。係合部は、第一の平面と第二の平面の間で体積の大部分を占めるように、制限手段によって制限される。
【００１８】
バンドロックは、好ましくは、ロック部材の回転運動を制限する手段を有するように配置される。係合部は、弾性ロック要素が配置されているバンドロックの側面に面する回転軸線の側面上で体積の大部分を占めるように配置されている。上記の構成のロック部材により、バンドロックの複数の部分が一直線にある時にバンドの自動的にロックされ、バンドロックの複数の部分が角度が付けられる時に自動的にロックが解除される。
【００１９】
第一の部分は、横断方向リストを備え、横断方向リストは、係合ピンと平行であり、かつ、フック要素の自由端部と第二の部分の係合部の外側部分の間で見て、フック要素の寸法に本質的に対応する係合ピンから一定距離に配置されている。これにより、取付手順が容易となる。
【００２０】
適切には、第二の部分は、相互作用を意図しかつ横断方向に直角である、バンド用の意図する長手方向延長部と本質的に直角に向けられている座部において、係合ピン用の挿入開口部を備えている。
【００２１】
チャイルド・ハーネス、上側担持ストラップ及びウェストバンドを備えた、本発明の幼児運搬装置は、上述のバンドロックを備えていることを特徴としている。
【００２２】
本発明のさらなる特徴及び利点は、添付図面を参照しつつ以下の詳細な記載から明らかである。
【図面の簡単な説明】
【００２３】
【図１】図１は、接続された状態の第一及び第二の部分を有する本発明のバンドロックを平面図で示す。
【図２】図２は、図１のバンドロックの詳部の部分断面図であり、バンドロック部分が接続されていない状態を示す。
【図３】図３は、図１のバンドロックの側面図であり、バンドロック部分が第一の相互位置にある状態を示す。
【図４】図４は、図１のバンドロックの側面図であり、バンドロック部分が第二の相互位置にある状態を示す。
【図５】図５は、本発明のバンドロックを有する幼児運搬装置を示す。
【図６】別の実施例のバンドロックの側断面図であり、バンドロックの複数の部分が互いに対して直線状である状態を示す。
【図７】図６のバンドロックの側断面図であり、バンドロックの複数の部分が互いに対して角度が付いた状態を示す。
【図８】図８は、図６及び７のバンドロックの上面図である。
【発明を実施するための形態】
【００２４】
図１において、第一の部分２及び第二の部分３を有するバンドロック１が接続された状態で示されている。これら第一の部分２及び第二の部分３の各々は、第一の端部において係合部４及び５それぞれと、第二の端部においてバンド連結部８及び９それぞれとを一体に備えている、プラスチック製のフレームを備えている。
【００２５】
第一の部分２の係合部４は、係合ピン６を備えている（図２に最もよく示されている）。この係合ピン６は、横断方向（双頭矢印Ｔで示す）に見て、係合ピン６の長さが、横断方向Ｔに見て、第一の部分２の幅の相当部分、例えば、第一の部分２の幅の５０〜７５％を備えているような延長部分を有している。
【００２６】
第二の部分３の係合部５は、座部Ｓの形成が係合ピン６と係合するために横断方向に比較的に細長くなるように、曲げられかつ横断方向Ｔに延びているフック要素７を備え、これは、横断方向Ｔにおいて対応する延長部分を有し、しかしながら、係合ピンの長さは、係合ピン６の長さよりも幾分小さな、横断方向Ｔにおける延長部分を有する。フック要素７は、自由端部１´周りで柔軟に曲げられており、自由端部１´に向けて横断方向に先細りしている。これにより、操作できない位置での第一の部分２と第二の部分３の連結、特に、係合ピンの内側の空間内のフック要素の挿入を容易にする。
【００２７】
図示している実施例では、第一及び第二の部分のバンド連結部８及び９それぞれは、バンド張力付与部の形成のための、側面上にそれぞれに配置されている平行なガイドリスト１４、１５及び１６、１７上に移動可能に配置されている、移動可能なロック部材１８及び１９それぞれを備えている。
【００２８】
第二の部分のフレーム上において、止め側面２４、２５は、座部Ｓから見て、係合部５の横断方向の最も外側に配置されており、これら止め側面２４及び２５は、第一の部分２において曲げられた部分と相互作用する。これら曲げられた部分２６及び２７は、相互の距離を持って曲げられて係合ピン６に接続され、この相互の距離は、止め側面２４と止め側面２５の間の距離も小さく、第一の部分２が第二の部分３に関して図１に示す位置から、係合ピン６回りで方向Ｒ２（図３参照）へ回転するのが防がれる。 
【００２９】
図１及び２において、点線で、第一の部分２及び第二の部分３のそれぞれと相互作用するために、バンド部分２０及び２１それぞれが、バンドの方向Ｂ（相互作用が意図されているバンドについて意図する長手軸線方向の延長部分Ｂ）に伸張しているということがさらに略図的に示されている。
【００３０】
図２は、第一の部分２及び第二の部分３それぞれの係合部４及び５それぞれをより明瞭に示している。図２において、図１及び２においてフック要素７の最も外側の部分が、明確のために切り取られており、座部Ｓがより明確に示されている。
【００３１】
第二の部分３の係合部５は、弾性のあるロック要素１１を備えている。このロック要素１１は、舌状に形成された要素１３の自由端部上に配置されている丸みを帯びたリスト要素によって構成されている。この要素１３は、材料を貫通しているスリット１２によって係合部５の残りの部分から覆われていない。弾性のあるロック要素１１は、第一の部分２と第二の部分３を意図せずに取り外すのを防ぐために、座部Ｓにおいて、その作用する位置で、係合ピン６に対して作用するように配置されている。ロック要素によって、スナップ作用が提供され、場合により、係合ピンを座部に導入した時のスナップ音が、係合ピンが座部内の所定位置にあるということを示す役割を果たしうる。
【００３２】
参照番号２２は、横断方向リストを示し、横断方向リスト２２は、横断方向リスト２２自体と係合ピン６との間で、方向Ｂにおいて一定寸法を有する自由部分を備えている（図１参照）、この自由部分は、自由端部７’と係合部５の外側部分２３の間の距離１に本質的に対応し、これにより、フック要素７によって形成された座部へ係合ピンを当てるのを容易にする。
【００３３】
特に図３及び４から、第一の部分２が、Ｒ１方向における係合ピン６及び座部Ｓを通して横断方向に延びている回転軸線Ａを有する回転式ジョイント回りで回転可能であり、
第一及び第二の部分２、３は、角度Ｖで角度が付けられており、例えば、図４に示すように、互いに関して（より長く）相互に本質的に横断方向の位置となっている、ということも明らかになる。ここで、図３に示すように、第一の部分２と第二の部分３のそれぞれが互いに本質的に一直線上にある位置から、第一の部分２と第二の部分３の各々が、運搬人から見て、回転軸線Ａ回りに外方向に角度が付けられうる。
【００３４】
このように、各部分の角度方向の位置を角度を付けることによって、バンドとバンド連結部８及び９の接触面それぞれとの間の幾何学的関係が変化することに関連してこれらの位置で張力が解放される時、バンド連結部８及び９におけるバンドをそれぞれ緩めるのが容易になる。実際、ここでは、バンドが当接することは、各部分の縁部に属する接触面についての問題である。
【００３５】
バンドの延長が容易にされ、これにより、接続が有利となる。図に示す位置から、第一の部分２と第二の部分３それぞれを互いから係合解除することも、角度の変化を通して容易にすることができる。
【００３６】
参照番号２９は、前記座部用の挿入開口部を示している。この挿入開口部は、協働バンド用の長手方向延長部Ｂに向けて、好ましくは本質的に直角で、使用者から見て外側に向けられている。この角度は、当てられるウェストバンドでは、「本質的に半径方向」とも言える。それは、挿入開口部内への係合ピンの挿入は、半径方向内側に行われると言えるからである。
【００３７】
本発明は、以下の特許請求の範囲で修正することができる。例として、バンド連結部８及び９の中の一つのみが、協働バンド２０及び２１それぞれの中の一つを調節するための手段を有するように、かつ／又は、各バンド連結部が移動可能なロック部材を欠くように、バンド連結部８及び９、それぞれが異なるように設計してもよい。しかしながら、移動可能なロック部材を有する、示している実施例が好ましい。
【００３８】
本発明のバンドロックは、上述の適切なプラスチック製の一体のフレームで製造されることも好ましいが、例えば、係合ピン６で、一体の部分の中の少なくともいくつかの要素が金属で製造されることも排除しない。係合ピンは、最も良好な回転性及び適用性には適切な円筒であり、フック要素７によって形成される座部が、同様に、少なくとも部分的に円筒である。
【００３９】
しかしながら、上記の構成が好ましくないとしても、これらの部分は別の構成を有することも排除しない。示している実施例のロック部材は、プラスチック材料で適切に形成されている。
【００４０】
本発明のバンドロックは、バンドロックが使用者の背中側に位置し、ウェストバンドで胸側で担持される、幼児運搬装置のために好ましくは使用される。
【００４１】
図５では、運搬人の体の胸側で、子供を運搬するためのハーネスを備えている、上記の幼児運搬装置２８の一例が示されている。ハーネスは、さらに、運搬すべき幼児を受け入れるための運搬ポケット３０を形成する正面片２９を備えている。
参照番号３２は、ショルダー・ベルトとして機能する、２つの上側担持ベルトを示している。
【００４２】
この装置では、ウェストバンド３１は、荷重の大部分を使用者の尻部分へ移すように配置されている。この理由から、使用中において、 ウェストバンドは、使用者の尻に対して良好に当接するように締められるように十分に調節されなければならない。
【００４３】
これは、各バンド連結部（８、９、図１及び４参照）に関して関連のバンド部分２０及び２１それぞれを締める又は緩めることによって容易に調節される。本発明のバンドロック１は、その構成により、背中上で配置されているバンドロック１のために、操作と、特にバンド解放方向における調節が容易になるとなるので、本発明のバンドロック１は、この用途では特に有利である。さらに、この用途では、使用者の背中の後ろに位置決めされ、かつ使用者が自分の動作を見うることなく操作しなければならない位置で、連結及び連結解除が容易である。
【００４４】
最後に、「協働する意図のバンドのための意図する長手方向延長部Ｂ」とは、バンドがバンドロックの部分を出るときにバンドロックが取る想像上の直線方向であり、参照２０及び２１の領域で、図１及び２中の点線で概ね示されているものを意味する。
【００４５】
図６は、別の実施例のバンドロック１の側断面図であり、バンドロック１の複数の部分２、３が互いに対して直線状である状態を示す。図７は、図６のバンドロック１の側断面図であり、バンドロック１の複数の部分が互いに対して角度が付いた状態を示す。図８は、図６及び７のバンドロック１の上面図である。第一の回転可能ロック部材３３は、第一の部分２のリスト１４とリスト１５の間に配置されており、横断方向と本質的に平行な第一の回転軸線３７回りで回転可能である。第二の回転可能ロック部材３４は、第二の部分３のリスト１６とリスト１７の間に配置されており、第二の回転軸線３８回りで回転可能である。回転可能なロック部材は、回転軸線３７、３８に沿って本質的に一定の断面を有しかつバンドと係合されるべき係合面４１、４２を有する係合部３９、４０を備えている（図３及び４）。係合部３９、４０は、回転軸線３７、３８から一定の距離で配置された対称軸線４３、４４回りで本質的に円筒である。第一の部分２は、横断固定ロッド３５を備え、第二の部分３は、横断固定ロッド３６を備えている。横断固定ロッド３５、３６は、第一の部分２及び第二の部分３の荷重担持部材である。図６では、ロック部材は、回転可能なロック部材３３、３４と対応の横断固定ロッド３５、３６の間で絞られるべきバンド（図示せず）と協働してロックするための位置で示されている。回転可能なロック部材３３、３４は、バンドが使用者によって担持されるハーネスの一部分である場合で、バンドが張力下にある時に、この位置へ自動的に回転させられる。バンドロックは、回転可能なロック部材３３、３４の回転運動を制限する制限手段４５、４６をさらに備えている。使用者の体と接触するように配置されている、バンドロックの面は、第一の平面４７を本質的に形成しており、回転軸線３７、３８は、第一の平面４７と平行な第二の平面４８内にある。係合部３９、４０は、第一の平面４７と平行な第二の平面４８の間で、体積の大部分を占めるように、制限手段によって制限されている。
【００４６】
図７において、第一の部分と第二の部分が互いに関して角度が付けられており、バンドからの力により、バンドが所定位置でロックされていない別の位置へ回転可能なロック部材３３、３４を回転させる。
【００４７】
本発明は、本発明の精神及び範囲から逸脱することなく多くの方法で、修正することができ、添付の特許請求の範囲のみによって限定される。
【００４８】
係合部３９、４０が円筒形状である必要はない。係合部３９、４０が、回転軸線３７、３８回りで変化する、回転軸線３７、３８と係合面４１、４２の間の距離を備えるのに十分である。
【図１】
2012524601.tif 000003
【図２】
2012524601.tif 000004
【図３】
2012524601.tif 000005
【図４】
2012524601.tif 000006
【図５】
2012524601.tif 000007
【図６】
2012524601.tif 000008
【図７】
2012524601.tif 000009
【図８】
2012524601.tif 000010
【国際調査報告】
2012524601.tif 000011
2012524601.tif 000012
2012524601.tif 000013
2012524601.tif 000014